Podtech/llm-jp-corpus-v4-ja_patent huggingface dataset:
(57)【要約】【課題】  出先で利用する洋式トイレを、快適に利用するための、携帯に負担のかからない、機能的な携帯用使い捨て便座カバーと、備え付け用の使い捨て便座カバーを提供する。【解決手段】  任意形状のシート本体（１）の中央をくりぬいた中央部（２）を設け、シートを連ねて製造し、つなぎ目は、ミシン目（３）にし、シート本体（１）の裏面に接着部（４）を数カ所設け、携帯用のポケットタイプと、備え付け用のロール巻きタイプの、使い捨て便座シートを特徴とする。【選択図】図１
2009090061.tif 000002
【特許請求の範囲】
【請求項１】
任意形状のシート本体（１）の中央をくりぬいた中央部（２）を設け、シートを連ねて製造し、つなぎ目は、ミシン目（３）にし、シート（１）の裏面に接着部（４）を数カ所設けたことを特徴とする便座シート。
【発明の詳細な説明】
【技術分野】
【０００１】  本発明は、略楕円形状やハート型のシート本体の中央をくりぬいた中央部を設け、シートを連ねて製造し、つなぎ目は、ミシン目にし、シートの裏面に接着部を数カ所設けた便座シートで、携帯用は、ポケットに入るケースに収納し、使うときは、ケースから引き出し、備え付け用は、ロール巻きにしたもので、それぞれミシン目で切断し、そのまま広げて便座の上に接着部を軽く押して固定し、使用後は、水に流せるように工夫した便座シートに関するものである。
【背景技術】
【０００２】  従来、出先で使用する洋式トイレは、不特定多数の人が利用するため、清潔とはいえず、使い捨てカバーシートが設置されていない場合、直接肌が触れるため不快な気持ちで使用することが多い。
【発明の開示】
【発明が解決しようとする課題】
【０００３】  そのために、次のような問題点があった。
（イ）手軽に携帯できる、携帯用の使い捨て便座シートがない。
（ロ）公衆用、家庭用とも、手軽にセットし固定できる備え付け用の使い捨て便座シートがない。
（ハ）トイレットペーパーなどを乗せても、固定できずに使用しにくい。
本発明は以上のような問題を解決しようとしたものである。
【問題を解決するための手段】
【０００４】  任意形状のシート本体（１）の中央をくりぬいた中央部（２）を設け、シートを連ねて製造し、つなぎ目は、ミシン目（３）にし、シート（１）の裏面に接着部（４）を数カ所設けたことを特徴とする便座シート。
【発明の効果】
【０００５】（イ）携帯用は、ポケットサイズなので、手軽に携帯できる。
（ロ）携帯用は、ケースから引き出し、備え付け用はロールから引き出して、ミシン目で切断、あとは横にひろげるだけなので、セットするのが容易である。
（ハ）備え付け用は、通常のトイレットペーパーとほぼ同サイズなので、同じ器具を新たに設置すれば使用できる。
（ニ）接着部をつけてあるので、軽く押さえるだけで固定できる。
【発明を実施するための最良の状態】
【０００６】  以下、本発明の実施の形態を説明する。
任意形状のシート本体（１）の中央をくりぬいた中央部（２）を設け、シートを連ねて製造し、つなぎ目は、ミシン目（３）にし、シート本体（１）の裏面に接着部（４）を数カ所設けたことを特徴とする便座シート。
本発明は以上のような構成よりなるスーツである。
本発明を使用するときは、図１のシート本体（１）の中心、縦方向の折り目（５）で裏面を内側に折りたたむ。
接着部（４）は、折りたたんだときに、重ならないよう左右段違いに施す。
つなぎ目には、ミシン目（３）を入れて切断を容易にする。
図２において、縦方向の折り目（６）を折り返し、次いで携帯用は横方向の折り目（７）で、つづら折りに折りたたむ。
この場合、ミシン目（３）が引き出し口になるよう偶数に折りたたむ。
図３は、携帯用収納ケース（８）から、シート本体（１）を引き出したものである。
収納ケース（８）には、引き出しやすいよう、引き出し口（９）を設ける。
ミシン目（３）が現れたら、収納ケース（８）を指で押さえ、引ききるように切断する。
図４は、備え付け用のロール巻きタイプで、ロールからシート本体（１）を引き出したものである。
ミシン目（３）が現れたら、上蓋（１０）を指で押さえ、引ききるように切断する。
あとは、横方向に広げれば、セットする状態になる。
図５は、洋式トイレに、シート本体（１）をセットしたものである。
このとき接着部（４）を軽く押さえて固定し、使用後は水と流す。
【図面の簡単な説明】
【０００７】
【図１】  本発明の全体図である。
【図２】  本発明の縦方向の折り曲げ工程図で、横方向の折り曲げ位置は、携帯用のつづら折りをを示した説明図である。
【図３】  本発明の携帯用の使用説明図で、ケースからシート本体を引き出した説明図であるある。
【図４】  本発明の備え付け用の使用説明図で、ロール巻きからシート本体を引き出した説明図である
【図５】  本発明の使用図で、便座にシート本体をセットした説明図である。
【符号の説明】
【０００８】  １    シート本体
２    中央部
３    ミシン目
４    接着部
５    縦方向の折り目
６    縦方向の折り目
７    横方向の折り目
８    収納ケース
９    引き出し口
１０    上蓋
【図１】
2009090061.tif 000003
【図２】
2009090061.tif 000004
【図３】
2009090061.tif 000005
【図４】
2009090061.tif 000006
【図５】
2009090061.tif 000007
(57)【要約】【課題】  靴下を脱いだ時に置き場所を特定し片付ける者の手を煩わせず清潔に収納し、演出効果もある着用済み靴下収納箱を提供する。【解決手段】開閉式の投入窓を有する収納部の上部に開閉廊を有する置き台を設けたことを特徴とする着用済み靴下収納箱。【選択図】図３
2009090062.tif 000002
【特許請求の範囲】
【請求項１】
開閉式の投入窓を有する収納部の上部に開閉廊を有する置き台を設けたことを特徴とする着用済み靴下収納箱。
【発明の詳細な説明】
【技術分野】
【０００１】  本発明は、靴下を脱いだ後の置き場所を特定し着用者にも不快感なく清潔に収納するための着用済み靴下収納箱に関するものである。
【背景技術】
【０００２】  従来は、着用済みの靴下の置き場所は特定されておらず、各人の慣習にまかされていた。居間などに脱ぎ捨てられることも多く悪臭、不衛生な状態のまま素手でつかみ洗濯場所に持っていっていた。
脱衣所に置いた場合も他の洗濯物と一緒になると不衛生感があり、また着用者にとっては区別されたり特別に不衛生な扱いをされることが気分を逸する光景であった。
【発明の開示】
【発明が解決しようとする課題】
【０００３】    そのために次のような問題点があった。
（イ）脱ぎ捨てられた靴下を片付けるのが苦痛であった。
（ロ）他の洗濯物と一緒にされることに不衛生感があった。
（ハ）他の洗濯物と別にされることが着用者にとっては不快だった。
本発明は以上の問題点を解決するためになされたものである。
【発明が解決するための手段】
【０００４】    開閉式の投入窓を有する収納部の上部に開閉廊を有する置き台を設ける。着用済の靴下を上部に載せ、扉を開けると収納部に収納される。そして投入窓より除菌消臭する。以上を特徴とする着用済み靴下収納箱である。
【発明の効果】
【０００５】    本発明は着用済み靴下を置くことにより置き場所が特定され収納後、除菌消臭でき洗  濯機にいれるまで手に触れずに作業することが可能となる。
【発明を実施するための最良の形態】  以下、本発明の実施の形態について説明する。
上部に置き部（１）、下部に収納部（２）を設けその間にスライド型の扉（４）をつける。着用済靴下を上部（１）にのせたら引き手（３）をスライドすることにより扉（４）が開き下部（２）に収納され収納部にある除菌消臭剤を投入するための投入窓（３）より除菌消臭を行う。収納部（２）を取り外すか、扉（４）を開け逆さにして洗濯機に投入する。
【図面の簡単な説明】
【０００７】
【図１】  本発明の斜視図
【図２】  本発明の断面図
【図３】  本発明の使用状態を示す斜視図
【符号の説明】
【０００８】    １．置き部
２．収納部
３．投入窓
４．扉
５．引き手
【図１】
2009090062.tif 000003
【図２】
2009090062.tif 000004
【図３】
2009090062.tif 000005
(57)【要約】【課題】口が大きく開閉するしくみを取りつけた、あひるやカエル等のぬいぐるみを取りつけた、子供用介助スプーンを提供する。【解決手段】布製のあひる、かえる等のぬいぐるみの本体に、レバーで開閉する口部を設け、口部に取りはずして可洗可の子供用介助スプーンを取り付けたことを特徴とする子供用介助スプーン。【選択図】図１
2009090085.tif 000002
【特許請求の範囲】
【請求項１】
あひるやカエル等、口の大きな動物の口の中に、スプーンを取り付け、手指の操作により、そのあひるやカエルの口が開閉することを特徴とする子供用介助スプーン。
【発明の詳細な説明】
【技術分野】
【０００１】  本発明は、子供用のスプーンにあひるやカエル等、口の大きな動物を取りつけた介助用スプーンに関するものである。
【背景技術】
【０００２】  従来、スプーンの持手に絵や柄を施した子供用介助スプーンがあった。また、色をカラフルにしたり、素材をプラスチックにした子供用介助スプーンがあった。
【発明の開示】
【発明が解決しようとする課題】
【０００３】  そのために、次のような問題点があった。
（イ）子供は、とかく食事に集中せず、時には口を開けることを、かたくなにこばみ、介助者をイライラさせる。
（ロ）最近、仕事を持ち、忙しい母親が多いが、子供の食事介助に時間がかかり、母親の時間がうばわれていた。
本発明は、これらの問題点を解決するためになされたものである。
【課題を解決するための手段】
【０００４】  あひるやカエル等の口の中に、介助用スプーンが組み込まれている。手指で手もとのレバーをつかむと、あひるやカエル等の口がぱっくりと大きく開くというしくみを特徴とする子供用介助スプーンである。
【発明の効果】
【０００５】  スプーンにあひるやカエルの顔が付いているので、食事時間が楽しく華やかになる。口を開けることをこばんでいたり、食事にあきたり、気が散ってしまった子供に対し、都度都度、手もとの操作で、あひるやカエル等の口をパッと大きく開くことにより、子供の気を引き、喜びや、驚きを与えることができる。喜びや驚きは、同時に、子供の口を開けさせる力があることもある。
【発明を実施するための最良の形態】
【０００６】  以下、本発明の実施の形態について説明する。
（イ）布製のあひる、かえる等のぬいぐるみの本体（１）に、レバー（２）で、開閉可能な口部（３）を設ける。
（ロ）口部（３）に取りはずし可能で洗える子供用介助スプーン（４）を設ける。
本発明は、以上のような構成で、これを使用するときは、布製のあひる、カエル等のぬいぐるみの本体（１）に、子供用介助スプーン（４）を取り付け、持手でもある、レバー（２）を持ち、離乳食やおかずを子供用介助スプーン（４）で、すくう。子供がすんなりと口を開けて食べてくれる時は、かわいいぬいぐるみ付の介助スプーンである。
しかし、ひとたび、子供が食事にあきたり、ぐずりだしたりした場合、持手であるレバー（２）を握ることにより、あひる、かえる等のぬいぐるみの本体（１）についている口部（３）が大きく開き、あひる、かえるが、大きく、口を開いた状態になる。
子供はその状況に注目したり、驚いたり、喜んだりし、再び、食事への意識が向く。場合によっては、パブロフの犬の様に、あひるが口を開けると、子供も口を開けることを覚えるかもしれない。
【図面の簡単な説明】
【０００７】
【図１】本発明の斜視図
【図２】本発明の使用状態を示す斜視図
【符号の説明】
【０００８】１  布製のあひる、カエル等のぬいぐるみの本体
２．レバー
３  開閉可能な口部
４．子供用介助スプーン
【図１】
2009090085.tif 000003
【図２】
2009090085.tif 000004
(57)【要約】【課題】装飾性を有するカーテンレールは市販されているものの、一度取り付けたものを交換することは容易ではなく、また、カーテンレールの端末を飾る着脱可能な製品は販売されていない。【解決手段】装飾品に保持器具を付けることにより、カーテンレールに着脱可能な装飾品を取り付けることができるようになった。【選択図】図１
2009090084.tif 000002
【特許請求の範囲】
【請求項１】
カーテンレールの端末に取り付けることを特徴とする装飾品。
【発明の詳細な説明】
【技術分野】
【０００１】  この発明は、カーテンレールの端末を飾る装飾品に関する。
【背景技術】
【０００２】  カーテンは外部からの視線、熱、風などの遮断、あるいは室内の簡単な間仕切りとして利用されるが、その他に内部の装飾としても大切な役目を果たしている。従来、装飾品としての価値は、主として使用されている布等の色と柄である。布以外のカーテン用品としては、レール、レールボックス、カーテンを束ねる帯、タッセル、カーテン帯を留めるフック等があり、それぞれ装飾品を兼ねたものがある。
【発明の開示】
【発明が解決しようとする課題】
【０００３】  カーテン用品のうちカーテンレールは様々な材質、太さ、形状があり、その中で両端の形状に変化を持たせたものが装飾性のある物として市販されている。しかし、一度取り付けたカーテンレールを交換することは手間暇が掛かるため容易ではない。
【課題を解決するための手段】
【０００４】  一般にカーテンレールの中央部はカーテンを吊している留め具が往復するため、装飾品を付けるには制限があるが、両端末はそうしたことが無く、大抵の場合利用可能である。発明者はこの点に着目し、カーテンレールの取り付け、交換が容易な装飾品としての端末装飾用品を考案し、発明を完成させるに至った。
【発明の効果】
【０００５】  容易に着脱可能なカーテンレール端末装飾品が作成可能となった。
【発明を実施するための最良の形態】
【０００６】  この発明の一実施形態を、図１に示す。
板状素材の一面に装飾性のある図を描き、裏面に設置用の保持器具を取り付けた。【０００７】  カーテンレールの太さは細いものから太いものまで多岐に亘り、その太さにより使用出来る保持器具は違ってくるが、紐、太めのゴム紐、マジックテープ、キックバネを使用したクリップ（洗濯挟み様のもの）は、カーテンレールの太さに対応して使用可能である。これらひも等は、接着剤やネジ等で装飾品の裏面に固定される。中でも、キックバネを使用したクリップは着脱が容易かつ強力で優れている。【０００８】  装飾品としての図柄はどのようなものでも可能である。但し、カーテンレールは一般に、人の頭のより高い位置にあることが多い。従って、日頃、人間の頭より高い所に位置する鳥などが違和感無く受け入れられが、必ずしも鳥類に限定されるものではなく、人、動物、植物、建築物、山などの自然景観を模ったものなども可能である。【０００９】  これらは、自然界に存在するものに限定されず、空想上のものや、人がこれまでに作った歴史的建造物なども含まれる。【００１０】  図は側面図、正面図、斜め面図などどの面が正面であっても構わない。また、装飾品は板状の物に描かれた二次元図でも良いし、像のような三次元物体でも良い。【００１１】  大きさとしては、高さは０．５ｃｍから５０ｃｍ程度まで、横幅は０．５ｃｍから２０ｃｍ程度まで、奥行きは０．５ｃｍから２０ｃｍ程度までが考えられるが、レール自体が高い所に位置することと、レールと天井との距離が一般的にそれ程長くないことから、高さ１−２０ｃｍ、幅１−２０ｃｍ、奥行き１−１０ｃｍが好ましい。【００１２】  材質としては基本的に問わないが、木、紙、プラスチック、アルミなどの金属、粘土、陶器、ガラス、などが考えられる。しかし、高い所に位置し、万一の落下の可能性を考慮すると、木、紙、プラスチック、アルミなどの軽くて、万一落下した場合でも怪我をしたり、破損したりしないものが好ましい。【００１３】  具体例には、カワセミ、タンチョウ等のツル類、アデリーペンギン等のペンギン類、オオワシ等のワシ類、フクロウ、アカショウビン、アオセミ、ヤマセミ、ヤイロチョウ、ヤツガシラ、オシドリ、エトピリカ、クマゲラ、アカゲラ、トキ、イカル、コイカル、キレンジャク、ヒレンジャク、クジャク、長尾トリ、始祖鳥などの鳥類、【００１４】  ムササビ、モモンガ、テン、トラ、ゾウ、ライオン、ヒョウ、クマ、イヌ、ネコ、ウマ、シカ、ヒツジ、恐竜などの動物、【００１５】  エッフェル塔、東京タワー、通天閣、万里の長城、自由の女神、凱旋門、ビッグベンなどの建築物、【００１６】  富士山、星座など自然景観、【００１７】  フェニックス、鳳凰、麒麟、竜、ガーゴイル、邪鬼、狛犬などの想像上の生き物など、が挙げられる。【００１８】  以下に実施例を挙げて具体的に説明するが、本発明は実施例に限定されるものではない。【００１９】  実施例１ヤマセミ
幅９ｃｍ、長さ１８０ｃｍ、厚さ１．５ｃｍの檜の板に、図案化したヤマセミを描いた紙を糊付けし、糸鋸等で切り出す。サンダーや紙ヤスリで切削面を滑らかにし、クリアラッカーで３回塗装する。次に絵の具の付着を良くするため、ジェッソを３回塗る。表面と前後左右の面を絵の具で着色する。裏面にクリップをネジで止める。左向きと右向きの対称的カワセミを作成し、一対とする。【００２０】  実施例２アデリーペンギン
実施例１の手順で作成した。但し、左右の像の図案は別のものを用いた。【００２１】  実施例３  キレンジャクとヒレンジャク
実施例１の手順で作成した。但し、左右の像は同じ外形図案を用いたが、異なる彩色をし、ヒレンジャクとキレンジャクとして区別した。【００２２】  実施例４  イカルとコイカル
実施例１の手順で作成した。但し、左右の像は同じ外形図案を用いたが、異なる大きさと彩色とし、イカルとコイカルとして区別した。【００２３】  実施例５  トラ
実施例１の手順で作成した【００２４】  実施例６  アカショウビン
実施例１の手順で作成した。但し、カーテンレールへの結合は、木ねじ２本と、ひもを用い、後ろで結んだ。【００２５】  実施例７  トキ
実施例１の手順で作成した。但し、カーテンレールへの結合は、マジックテープを用いた。【００２６】  実施例８  オシドリ
実施例１の手順で作成した。但し、カーテンレールへの結合は、木ねじ２本と、ゴムヒモを用いた。【００２７】  実施例９  カワセミ
幅６ｃｍ、長さ１０ｃｍ、厚さ６ｃｍのチュペロ材の上面と側面に、図案化したカワセミを描いた紙を糊付けし、いと鋸等で切り出す。サンダーや紙ヤスリで切削面を滑らかにし、彫刻刀、切り出しナイフ、ミニルーターなどで立体像を彫る。クリアラッカーで３回塗装する。以下、次実施例１の手順で作成した。【００２８】「実施形態の効果」
この実施形態によれば、裏面に取り付けた器具によって装飾した板がカーテンレールに保持可能であり、かつ脱着が容易である。
【図面の簡単な説明】
【００２９】
【図１】この発明の一実施形態を示す裏側からの斜視図である。
【符号の説明】
【００３０】  １  装飾品本体
２  カーテンレール
３  保持器具
４  木ねじ
５  キックバネ
【図１】
2009090084.tif 000003
(57)【要約】【課題】  人の膝関節の位置覚を検査するために、膝関節角度を客観的に測定ができるようにしたことを特徴とした膝関節位置覚検査装置を提供する。【解決手段】  人の膝関節の位置覚を検査するために、大腿と下腿の外側と内側に支柱が取り付けられ大腿支柱（３）、下腿支柱（４）に大腿カフ（５）、下腿カフ（６）を固定し、支柱を接続する膝継ぎ手（２）を設置し、その膝継ぎ手（２）を軸心とする角度計（１）を取り付け、膝関節角度を客観的に測定できるようにしたことを特徴とした膝関節位置覚検査装置を提供する。【選択図】図１
2009090082.tif 000002
【特許請求の範囲】
【請求項１】
人の膝関節の位置覚を検査するために、大腿と下腿の外側と内側に支柱が取り付けた大腿支柱（３）、下腿支柱（４）に大腿カフ（５）、下腿カフ（６）を固定し、支柱を接続する膝継ぎ手（２）を設置し、その膝継ぎ手（２）を軸心とする角度計（１）を取り付け、膝関節角度を客観的に測定できるようにしたことを特徴とした膝関節位置覚検査装置。
【発明の詳細な説明】
【技術分野】
【０００１】  本発明は、人の膝関節の位置覚を検査するために、人の大腿と下腿の外側と内側に大腿支柱、下腿支柱が取り付けた支柱に大腿カフ、下腿カフを固定し、膝継ぎ手を軸心とする膝関節の角度を定量的に測定できるように工夫したものである。  膝関節の屈曲や伸展の角度を支柱に取り付けた角度計で測定し、人が膝を自力で動かすことで、その膝関節の角度を自分で検査したり、また、他人による客観的な測定ができるようにしたことを特徴とした膝関節位置覚検査装置。
【背景技術】
【０００２】  従来、人の膝関節位置覚検査器は存在したが、大きな装置で高価で研究機関や大学病院にしか存在しなかった。  また、検査には煩雑なコンピューターの手続きが必要であったり、操作に時間がかかった。
【発明が解決しようとする課題】
【０００４】  人の膝関節位置覚を検査するときには、大型の検査装置で持ち運びができず不便であった。  また、コンピューター内蔵の検査装置を使用して煩雑な手続きを必要として、操作には時間がかかっていた。  また、検査を受ける患者や障害をもつ被検者には身体的にも精神的にも大きな負担となっていた。  本発明は、これらの課題を解消するためになされたものである。
【課題を解決するための手段】
【０００５】  人の膝関節の位置覚を検査するために、大腿と下腿の外側と内側に支柱が取り付けられ大腿支柱（３）、下腿支柱（４）に大腿カフ（５）、下腿カフ（６）を固定し、支柱を接続する膝継ぎ手（２）が設置され、その膝継ぎ手（２）を軸心とする角度計（１）を取り付け、膝関節角度を客観的に測定できるようにしたことを特徴とした膝関節位置覚検査装置である。
【発明の効果】
【０００６】  廉価で又携帯可能である上に異なる肢位や体位の場面にも応じることができる。  座位での検査にも対応できるし、寝たきり状態の患者にも仰臥位や側臥位のままベッド上で検査可能である。  また、自動運動での検査でも他動運動での検査でも行うことができ検査の範囲を拡大することができる。  廉価な材料で製作でき、一般病院や家庭でも設置可能であり、誰にでも簡易に膝関節位置覚検査が可能となる。
【発明を実施するための最良の形態】
【０００７】  発明を実施するための形態について説明する。  人の膝関節の位置覚を検査するために、大腿と下腿の外側と内側に支柱が取り付けた大腿支柱（３）、下腿支柱（４）に大腿カフ（５）、下腿カフ（６）を固定し、支柱を接続する膝継ぎ手（２）を設置し、その膝継ぎ手（２）を軸心とする角度計（１）を取り付け、膝関節角度を客観的に測定できるようにしたことを特徴とした膝関節位置覚検査装置。  本検査装置で、座位での実施時には、床面を滑走しやすいローラー付き足底板に足部を載せて実施することで下肢を各方向へ円滑に動かすことができ、関節角度移動が簡易に行えて測定しやすくなる。
【図面の簡単な説明】
【０００８】
【図１】本発明の斜視図である。
【図２】本発明の側面図である。
【図３】本発明の正面図である。
【符号の説明】
【０００９】      １  角度計      ２  膝継ぎ手      ３  大腿支柱      ４  下腿支柱      ５  大腿カフ      ６  下腿カフ
【図１】
2009090082.tif 000003
【図２】
2009090082.tif 000004
【図３】
2009090082.tif 000005
(57)【要約】      （修正有）【課題】料理の際の油やお湯，料理素材の顔，首などへのとびはねを防止する。【解決手段】透明のシートやマスクａにひもｃを取付け、料理の際に顔に装着して、やけどなどを防ぐことが出来る。シートやマスクは透明素材を使い、透明プラスチックや透明樹脂，透明ビニールシート等素材は問わない。シートは平べったくマスクは凹凸のある鼻，目，口などを立体で入れても良い。シートやマスクの形はいろいろで、顔の輪郭に沿ったもの，ハート型のもの楕円形のものなど色々な形が可能で耳の部分をつけてもよく、デザイン柄は色々なカラーを入れて楽しめる。ひも（布帯、ひもは途中からのゴム，耳かけのゴム，凹凸の穴，マジックテープ（登録商標）など）は色々な色，素材が楽しめる。装着することで顔や首への油やお湯，料理素材のとびはねを防止し、やけどなどを防止することが出来る。透明シートやマスクを使用することにより、お料理が良く見える。【選択図】図１
2009090081.tif 000002
【特許請求の範囲】
【請求項１】
油料理のとき油が顔に飛び散らないようにするための防止器具
【請求項２】
お料理全般で顔にお湯やお料理素材などが飛び散らないようにするための防止器具
【請求項３】
お料理全般で油やお湯やお料理素材が顔や首に飛び散らないようにするための防止器具
【発明の詳細な説明】
【技術分野】
【０００１】本発明はお料理時の油お湯お料理素材が顔や首に飛び散らないように防止するための補助器具に関する
【発明の開示】
【発明が解決しようとする課題】
【０００２】お料理（油料理）の油（お湯・お料理素材など）のとびはねで、顔などに油が散ったりしてやけどしたりすることを防ぎたかった
【課題を解決するための手段】
【０００３】油料理のとき油が顔に飛び散らないようにするための防止器具【０００４】お料理全般で顔にお湯やお料理素材などが飛び散らないようにするための防止器具【０００５】お料理全般で油やお湯やお料理素材が顔や首に飛び散らないようにするための防止器具
【発明の効果】
【０００６】料理時の顔や首などのやけどなどを防止することが出来る
【発明を実施するための最良の形態】
【０００７】やけど防止シートを顔全体に置き、ひも（布帯）を顔（首）の後ろで結ぶ。ゴム・マジックテープでもよい
【実施例】
【０００８】顔（首）にシート・マスクをのせひも（布帯）を後ろで結ぶ（ゴム・マジックテープでもよい）
2009090081.tif 000003
【産業上の利用可能性】
【０００９】飲食店やお料理教室で幅広く使える
【図面の簡単な説明】
【００１０】
【図１】「油（お湯・料理素材）とびはね防止マスク・シートを示した平面図である」
【図２】「油（お湯・料理素材）とびはね防止マスク・シートを示した断面図である」
【符号の説明】
▲ａ▼          顔に置くシート・マスクである
▲ｂ▼          ひも（布帯）を通す穴である
▲ｃ▼          顔にくっつけ頭の後ろで結ぶためのひも（布帯）である
▲ｄ▼          布帯（ひも）の結び目である
【図１】
2009090081.tif 000004
【図２】
2009090081.tif 000005
(57)【要約】      （修正有）【課題】従来のヘアブラシでは髪の毛の分け目がきれいに付けられず、先のとがった柄の長い平櫛を使うしかなかった。【解決手段】ヘアブラシの柄の先端をとがらせた。ヘアブラシ１本で髪を解かし、分け目が簡単に、きれいに付けられるようになった。【選択図】図１
2009090083.tif 000002
【特許請求の範囲】
【請求項１】
髪の毛の分け目付け機能を持ったヘアブラシ
【発明の詳細な説明】
【技術分野】
【０００１】この発明はヘアブラシの柄をとがらせ、髪の毛の分け目が簡単に付けられるようにしたものである。
【技術背景】
【０００２】従来は、このような器具はなかった。
【発明の開示】
【発明が解決しようとする課題】
【０００３】従来のヘアブラシでは髪の毛の分け目がきれいに付けられず、先のとがった柄の長い平櫛を使うしかなかった。
【課題を解決するための手段】
【０００４】ヘアブラシの柄の先端をとがらせ、髪の毛の分け目がきれいに付けられるようにする。
【発明の効果】
【０００５】ヘアブラシ１本で、髪を解かし分け目が簡単に、きれいに付けられるようになった。
【発明の実施をするための最良の形態】
【０００６】以下、本発明の実施の形態について説明する。
イ．ヘアブラシの柄の先端をとがらせる。
【実施例１】
【０００７】ヘアブラシの柄の先端をとがらせ、髪の毛の分け目がきれいに付けられるようにする。
【図面の簡単な説明】
【０００８】
【図１】［実施例１］の形態図である。
【符号の説明】
【０００９】１ヘアブラシ
２先のとがった柄
【図１】
2009090083.tif 000003
(57)【要約】【課題】  筒の中で出来るだけ早い水流を作ることが分離効果を上げる最大要因であるが、どうしても筒の内側壁を回る水流は同じ筒の中の中心部分の遅い水流に引っ張られ、又流入口から離れると高水流を出すのが難しく分離能力にも限界があった。さらに、一度分離され底に溜まった異物が水と共に出口より外部に再流出することもあった。【解決手段】  筒体下部に異物排出口を有する円垂筒を設け、前記筒体の内側面に披処理液を送圧することによって、披処理液に含まれる異物を遠心分離するサイクロン式濾過装置において、前記筒体の内側面に沿って管を螺旋状に設け、この管の内側に披処理液を送圧流通することによって、披処理液に含まれる異物を遠心分離し、異物排出口に連通して、異物溜り室を設け、この異物溜り室から異物を取出すことを特徴とするサイクロン式濾過装置。【選択図】図１
2009090268.tif 000002
【特許請求の範囲】
【請求項１】
筒体の下部に異物排出口を有する円垂筒を設け、前記筒体の内側面に披処理液を送圧することによって、披処理液に含まれる異物を遠心分離するサイクロン式濾過装置において、前記筒体の内側面に沿って管を螺旋状に設け、この管の内側に披処理液を送圧流通することによって、披処理液に含まれる異物を遠心分離することを特徴とするサイクロン式濾過装置。
【請求項２】
異物排出口に連通して、異物溜り室を設け、この異物溜り室から異物を取出すことを特徴とする請求項１記載のサイクロン式濾過装置。
【発明の詳細な説明】
【技術分野】
【０００１】  本発明は披処理液に含まれる異物を遠心分離するサイクロン式濾過装置に関するものである。
【背景技術】
【０００２】  披処理液に含まれる異物を分離する方法として、サイクロン方式が利用されているが、図４の従来技術に示されるように、同心円状の筒１０の中を偏心させた方向よりポンプ１２で送圧された高速の水流１４をこの筒１０の中に入れ、筒１０の中で渦を作ることにより比重の大きい異物１６は筒１０の下部に設けられた円垂体１１の底部に沈み、異物１６を分離した液体１８は上部に設けられた出口２０より外部に排出される仕組みとなっているのが大半である。【０００３】  特開２００６−１５９１４３に示されるように、外筒の内側に内筒を設けたもの、又、特開２００７−５４６７７に示されるように、外筒の内側に複数枚の円弧状の仕切り板を設けて構成したものがあるが、いずれも上部の披処理液が送圧される場所は、水流が早いが下部のほうになると水流が遅くなる。
【特許文献１】特開２００６−１５９１４３号公報
【特許文献２】特開２００７−５４６７７号公報
【発明の開示】
【発明が解決しようとする課題】
【０００４】  筒の中で出来るだけ早い水流を作ることが分離効果を上げる最大要因であるが、どうしても筒の内側壁を回る水流は同じ筒の中の中心部分の遅い水流に引っ張られ、又流入口から離れると高水流を出すのが難しく分離能力にも限界があった。さらに、一度分離され底に溜まった異物が水と共に出口より外部に再流出することもあった。
【課題を解決するための手段】
【０００５】  筒体下部に異物排出口を有する円垂筒を設け、前記筒体の内側面に披処理液を送圧することによって、披処理液に含まれる異物を遠心分離するサイクロン式濾過装置において、前記筒体の内側面に沿って管を螺旋状に設け、この管の内側に披処理液を送圧流通することによって、披処理液に含まれる異物を遠心分離し、異物排出口に連通して、異物溜り室を設け、この異物溜り室から異物を取出すことを特徴とするサイクロン式濾過装置。
【発明の効果】
【０００６】    円筒上部の偏心させた位置から導入された異物を含んだ水、空気は筒内に螺旋状に設けられた管の中を高速で流れることにより異物は管の側面に集まり内側には異物を含まない水、空気が流れ、管内の流体は単なる筒のサイクロン方式のように内部の流体の抵抗を受けることなく安定した高速流を得ることが可能で効率のよい異物と液体との分離が可能となる。【０００７】  前記管の出口は従来のサイクロン方式と同じく筒の中で開放され、重い異物は円垂体の底部に沈み、清浄化された液体、空気は円筒内部に設けられた管より外部にでていき、前記重い異物は異物排出口に連通して構成された異物溜り室に落ち込み出口側には再流出しないよう構成されている。
【実施例】
【０００８】  以下図面により、本発明の実施例について説明する。図１は本発明によるサイクロン式濾過装置の全体斜視図で、筒体２２の下部に異物排出口２４を有する円垂筒２６を設け、、前記筒体の内側面に沿って管２８を螺旋状に設け、この管２８の内側に披処理液３０をポンプ３２で送圧流通することにより、図２の管２８の排出部断面に示されるように、螺旋状の管２８の内側では、披処理液３０に含まれる異物３４は遠心力により、管２８の内側で外方に押付けられて凝集して、清浄な液体３６と分離されて排出される。なお、凝集した異物３４は管２８の内側に詰まらないよう管を内面の滑らかな仕上げの金属とすることが望ましい。【０００９】  図３の本発明によるサイクロン式濾過装置の下部断面図に示されるように、管２８から排出された清浄な液体３６は排出管３８に流入して外部に排出され、異物３４は円垂筒２６の底部に沈み、異物排出口２４より下方に落下するが、円垂筒２６の下面と底板４０、筒体２２の下部内側面で異物溜り室４２を形成しているので、下方に落下した異物３４はこの異物溜り室４２に溜まって、円垂筒２２に溜まることはなく、従って液体３６とともに排出管３８に流入することはなく、外部に再流出することはない。【００１０】  異物溜り室４２に溜まった異物３４は異物排出口４４、異物排出管４６を経てバルブ４８の開閉により外部に排出される。
【図面の簡単な説明】
【図１】  本発明によるサイクロン式濾過装置の全体斜視図を示す。
【図２】  螺旋状の管の排出部の断面図を示す。
【図３】  本発明によるサイクロン式濾過装置の下部断面図を示す。
【図４】  従来のサイクロン式濾過装置を示す。
【符号の説明】
１０  同心円状の筒
１１  円垂体
１２  ポンプ
１４  高速の水流
１６  異物
１８  液体
２０  出口
２２  筒体
２４  異物排出口
２６  円垂筒
２８  螺旋状の管
３０  披処理液
３２  ポンプ
３４  異物
３６  液体
３８  排出管
４０  底板
４２  異物溜り室
４４  異物排出口
４６  異物排出管
４８  バルブ
【図１】
2009090268.tif 000003
【図２】
2009090268.tif 000004
【図３】
2009090268.tif 000005
【図４】
2009090268.tif 000006
(57)【要約】【課題】  水に直接的に活性水、磁化水、還元水などのように機能性を持たせる試行が行われている。軽油にも磁気により表面張力の低下などの機能性を持たせ、燃料節減の試行が行われている。機能性を持たせることは確認されていない。本発明は機能性（表面張力の低下、電荷など）を持つ溶液の生成方法【解決手段】  本発明は、水や軽油等の溶媒に直接機能性を持たせるのではなく、高温焼成した酸化系鉱物の焼結体からなるセラミック粒子を充填した容器に、溶媒を接触させ、溶媒中のセラミックス粒子を溶媒の通過流速などにより流動、相互摩擦、衝突させることにより、セラミックス微粒子を溶媒中に浮遊させ、溶媒（水、軽油等）に浮遊するセラミックス微粒子の多様な機能（磁性、圧電素子による超音波、表面誘起電荷、遠赤外線等）とその相互作用により溶液に機能性（表面張力の低下、電荷など）を持たせる。【特許請求の範囲】
【請求項１】
本発明は、水や軽油等に直接機能性を持たせるのではなく、高温焼成した酸化系鉱物の焼結体からなるセラミック粒子を充填した容器に、水や軽油等を接触させ、水や軽油等の中のセラミック粒子を水や軽油等の通過流速などにより流動、相互摩擦、衝突させることにより、セラミック微粒子を溶媒（水や軽油等）中に浮遊させる。また、直接にセラミック微粒子を添加することにより、溶媒（水、軽油等）に浮遊するセラミック微粒子の多様な機能（フェライトや希土類の磁性、圧電素子による超音波、熱電効果による表面誘起電荷、遠赤外線等）とその相互作用により溶液に機能性（表面張力の低下、電荷など）を持たせる事を特徴とする溶媒中に浮遊するセラミック微粒子の溶液の生成方法
【請求項２】
セラミック微粒子による表面誘起電荷、遠赤外線、磁性がセラミック微粒子（圧電素子）に作用し超音波を発生させ、溶媒の表面張力を低下させる。また、物理的な力を物質に加える。これらにより、排水管のスケール除去・防止や水・セメント比の混煉水の削減による、セメント粒子間の空隙縮小によるコンクリート強度の増加、またディーゼル燃料（軽油）の着火点の低下による燃料節減効果があることを特徴とする請求項１記載の溶媒中に浮遊するセラミックス微粒子の溶液の生成方法。
【請求項３】
本発明は生成法であり、様々な形が考えられる。高温焼成した酸化系鉱物の焼結体からなるセラミック粒子を充填した容器に、溶媒を接触させ、溶媒中のセラミック粒子を流動、相互摩擦、衝突させることにより、微粒子を溶媒中に浮遊させることが出来れば良い為、例えば、溶媒をセラミック充填容器に一定流速で通過させる筒状の容器、溶媒をセラミック充填容器に滞留させ振動、撹拌などの様々な運動を加える容器等である。また、直接に微粒子を添加することを特徴とする請求項２記載の溶媒中に浮遊するセラミックス微粒子の溶液の生成方法。
【発明の詳細な説明】
【技術分野】
【０００１】  本発明は、溶媒（水、軽油等）中に浮遊するセラミックス微粒子の多様な機能（磁性、圧電素子による超音波、表面誘起電荷、遠赤外線等）とその相互作用により溶液が機能性（表面張力の低下、電荷等）を持つことに関する。
【背景技術】
【０００２】  酸化物系鉱石粉末の球形焼結体からなるセラッミク粒子装入容器に水を通し、セラミック粒子を相互摩擦、衝突させることにより、ペルチェ効果（熱電効果）により、水に電荷を持たせる活性水や磁気の中を一定速度（２ｍ／ｓ以上）で磁気と直角に水を通して、水を活性化する磁化水などがある。【０００３】  なお本発明に関する公知技術として次の特許文献１、非特許文献２を、挙げることが出来る。
【特許文献】  「活性水の生成方法」特許番号第３０７０５５００号
【非特許文献】  「水の話−いろいろな水」ｈｔｔｍ：／／ｗｗｗ．ｃｏｎ−ｐｒｏ．ｎｅｔ／ｒｅａｉｎｇｓｕ／ｗａｔｅｒ／ｄｏｃ００２４．ｈｔｍｌ
【非特許文献】  「超音波噴霧」山海堂出版
【発明の開示】
【発明が解決しようとする課題】
【０００４】  水に直接的に活性水、磁化水、還元水などのように機能性を持たせる試行が行われている。しかし水に機能性を持たせることは確認されていない。【０００５】  軽油にも磁気により表面張力の低下などの機能性を持たせ、燃料節減の試行が行われている。しかしその機能性は確認されていない。
【問題を解決する為の手段】
【０００６】  上述の課題を解決する為、本発明は、水や軽油等の溶媒に直接機能性を持たせるのではなく、高温焼成した酸化系鉱物の焼結体からなるセラミック粒子を充填した容器に、溶媒を接触させ、溶媒中のセラミック粒子を溶媒の通過流速などにより流動、相互摩擦、衝突させることにより、セラミック微粒子を溶媒中に浮遊させる。また、直接にセラミックス微粒子を添加することによる。
【発明の効果】
【０００７】  溶媒（水、軽油等）に浮遊するセラミック微粒子の多様な機能（磁性、圧電素子による超音波、表面誘起電荷、遠赤外線等）とその相互作用により溶液に機能性（表面張力の低下、電荷など）を持たせる。これらにより、排水管のスケール除去・防止や、水・セメント比の混煉水の削減により、セメント粒子間の空隙縮小によるコンクリート強度の増加、またディーゼル燃料（軽油）の着火点の低下による燃料節減などに有効である。
【発明を実施する為の最良の形態】
【０００８】  本発明は、生成法であり、様々な形が考えられる。高温焼成した酸化系鉱物の焼結体からなるセラミック粒子を充填した容器に、溶媒を接触させ、溶媒中のセラミック粒子を流動、相互摩擦、衝突させることにより、セラミック微粒子を溶媒中に浮遊させることが出来れば良い為、例えば、溶媒をセラミック充填容器に一定流速で通過させる筒状の容器、溶媒をセラミック充填容器に滞留させ振動、撹拌などの様々な運動を加える容器等である。またセラミック微粒子を直接に添加することもできる。
(57)【要約】【課題】ドアガラスの昇降時に湿式払拭によりドアガラスをクリーニングするようにした自動車サイドドアのベルトモールを提供する。【解決手段】サイドドアのベルトラインに装着されるベルトモールであって、ベルトモール２ａ、２ｂに洗浄液等の液体タンク５ａ、５ｂと、この液体タンク５ａ、５ｂの液体に浸漬し、かつドアガラス４の面に接触する払拭部材６ａ、６ｂとを設け、ドアガラス４の昇降時に液体が浸透した払拭部材６ａ、６ｂによりドアガラス４をクリーニングするようにした。【選択図】図１
2009090792.tif 000002
【特許請求の範囲】
【請求項１】
サイドドアのベルトラインに装着されるベルトモールであって、ベルトモールに洗浄液等の液体タンクと、この液体タンクの液体に浸漬し、かつドアガラスの面に接触する払拭部材とを設け、ドアガラスの昇降時に液体が浸透した払拭部材によりドアガラスをクリーニングするようにしたことを特徴とする自動車サイドドアのベルトモール。
【発明の詳細な説明】
【技術分野】
【０００１】
本発明は、サイドドアガラスのクリーニング機能を備えた自動車サイドドアのベルトモールに関するものである。
【背景技術】
【０００２】
自動車サイドドアのベルトラインに装着されている従来のベルトモールは図３で示すように、ドアガラス４０に接触するリップ３０ａ、３０ｂが形成されているアウタベルトモール２０ａとインナベルトモール２０ｂとによって構成されており、前記リップ３０ａ、３０ｂにはドアガラス４０の昇降時に汚れを拭き取るための植毛５０が施されている。
【０００３】
しかしながら、上記従来構造では植毛５０の払拭部が乾式のため拭き上げ能力が低く、ドアガラス４０の汚れを湿ったタオル等で拭き上げなければならない面倒な手間を要する問題を有している。
【特許文献１】特開２００１−１０５８８７公報
【特許文献２】特開２００３−５４２６３公報
【特許文献３】特開２００３−１８２３７３公報
【発明の開示】
【発明が解決しようとする課題】
【０００４】
本発明の目的は、ドアガラスの昇降時に湿式払拭によりドアガラスをクリーニングするようにした自動車サイドドアのベルトモールを提供することである。
【課題を解決するための手段】
【０００５】
上記の目的を達成するための本発明は、請求項１に記載の通り、サイドドアのベルトラインに装着されるベルトモールであって、ベルトモールに洗浄液等の液体タンクと、この液体タンクの液体に浸漬し、かつドアガラスの面に接触する払拭部材とを設け、ドアガラスの昇降時に液体が浸透した払拭部材によりドアガラスをクリーニングするようにしたことを特徴とする。
【発明の効果】
【０００６】
本発明によると、ドアガラスの昇降時に液体タンク内の洗浄液等の液体が浸透した払拭部材によりドアガラスをクリーニングするため、ドアガラスの汚れをタオル等で拭き上げなければならない面倒な手間が省略され、綺麗なドアガラスを維持することができる効果を有している。
【発明を実施するための最良の形態】
【０００７】
以下本発明を実施するための最良の形態について図面に基づいて説明する。図１において１ａはアウタドアパネル、１ｂはインナドアパネルである。２ａはアウタドアパネル
１ａのベルトラインに装着されたアウタベルトモールであり、２ｂはインナドアパネル１ｂのベルトラインに装着されたインナベルトモールである。このアウタベルトモール１ａ、インナベルトモール１ｂにはドアガラス４に接触するリップ３ａ、３ｂが形成されている。
【０００８】
本発明は、上記のアウタベルトモール２ａ及びインナベルトモール２ｂの前記リップ３ａ、３ｂより下方に洗浄液等を貯留する液体タンク５ａ、５ｂを設け、この液体タンク５ａ、５ｂの液体に浸漬し、かつドアガラス４の面に接触する払拭部材６ａ、６ｂを設けた構造である。前記払拭部材６ａ、６ｂは拭き布あるいはスポンジ等が好ましい。
【０００９】
前記液体タンク５ａ、５ｂへの洗浄液等の液体の注入は図２で示すように、例えば、インナベルトモール２ｂに注入口８を設け、アウタベルトモール１ａ側の液体タンク５ａとインナベルトモール２ｂ側の液体タンク５ｂとをパイプ７で連絡する構造とすることによりインナベルトモール２ｂ側の液体タンク５ｂに注入した洗浄液等の液体はインナベルトモール２ｂ側の液体タンク５ｂに貯留すると共にインナベルトモール２ｂ側の液体タンク５ｂからパイプ７を介してアウタベルトモール２ａ側の液体タンク５ａにも貯留する。
【００１０】
本発明は上記の通りの構造であるから、リップ３ａ、３ｂはベルトラインにおいてドアガラス４とアウタドアパネル１ａ及びインナドアパネル１ｂとの隙間を塞いでいる。
【００１１】
ドアガラス４のクリーニングは、ドアガラス４を昇降動させることにより液体タンク５ａ、５ｂの液体に浸漬し、かつドアガラス４の面に接触している払拭部材６ａ、６ｂがドアガラス４の面の汚れを湿式払拭する。
【００１２】
そして、払拭部材６ａ、６ｂによる湿式払拭によりドアガラス４の面に付着している液体膜はリップ３ａ、３ｂがスクレーパの役目をして掻き取り除去し綺麗なドアガラス４の面に仕上がる。
【００１３】
このように本発明による自動車サイドドアのベルトモールは、ドアガラス４を洗浄液等の液体が浸透した払拭部材６ａ、６ｂにより湿式払拭する機能を持たせたものであるから、従来のように湿ったタオル等で拭き上げなければならない面倒な手間を要することがなくなり、ドアガラス４を昇降動させることで綺麗なドアガラスを維持することができる利点を有している。また、本発明による自動車サイドドアのベルトモールはドアのベルトラインの形態を改変することなく在来のドアのベルトラインに装着することが可能である利点も有している。
【図面の簡単な説明】
【００１４】
【図１】本発明による自動車サイドドアのベルトモールの断面図
【図２】本発明による自動車サイドドアのベルトモールの斜視図
【図３】従来の自動車サイドドアのベルトモールの断面図
【符号の説明】
【００１５】
１ａ  アウタドアパネル
１ｂ  インナドアパネル
２ａ  アウタベルトモール上型
２ｂ  インナベルトモール
３ａ  リップ
３ｂ  リップ
４    ドアガラス
５ａ  液体タンク
５ｂ  液体タンク
６ａ  払拭部材
６ｂ  払拭部材
７    パイプ
８    注入口
【図１】
2009090792.tif 000003
【図２】
2009090792.tif 000004
【図３】
2009090792.tif 000005
(57)【要約】【課題】  フェルラ酸を効果的に体内に吸収でき、その効果を発揮できる健康食品を安価で提供することを課題とする。【解決手段】  本発明による健康食品は、少なくともフェルラ酸を含み、さらに西洋トウキ抽出物及び海洋ミネラル成分のいずれかまたは両方を添加したことを特徴とする。前記西洋トウキ抽出物の配合割合は、前記フェルラ酸に対して５乃至６０％であることが好適である。また、前記海洋ミネラル成分は、海水中のピコプランクトンに由来する有機成分とその有機成分によりキレート化されたミネラル分を含有する海水の濃縮物を酢酸で処理し、塩化ナトリウム及び有毒成分を除去して得られる、キレート化されたミネラル分を含む残留物であることが好適である。【選択図】なし【特許請求の範囲】
【請求項１】
少なくともフェルラ酸を含み、さらに西洋トウキ抽出物及び海洋ミネラル成分のいずれかまたは両方を添加したことを特徴とする健康食品。
【請求項２】
前記西洋トウキ抽出物の配合割合が前記フェルラ酸に対して５乃至６０％であることを特徴とする請求項１記載の健康食品。
【請求項３】
前記海洋ミネラル成分が、海水中のピコプランクトンに由来する有機成分とその有機成分によりキレート化されたミネラル分を含有する海水の濃縮物を酢酸で処理し、塩化ナトリウム及び有毒成分を除去して得られる、キレート化されたミネラル分を含む残留物であることを特徴とする請求項１または２に記載の健康食品。
【発明の詳細な説明】
【技術分野】
【０００１】  本発明は、安価で人の健康に寄与することのできる健康食品に関する。
【背景技術】
【０００２】  フェルラ酸は、人の健康に対して多くの効果があることが知られている。例えば特許文献１には、高血圧症予防効果が記載されている。特許文献２には抗酸化作用があることが開示されている。さらに特許文献３においては、大脳疲労回復効果が記載されている。しかし、フェルラ酸を多く含む東洋トウキは医薬品に指定されているため、健康食品として使用することは困難であり、価格も高価になってしまう。またフェルラ酸単体を健康食品として摂取したとしても体内に効率よく吸収されないか、または吸収されたとしてもその効果を十分に発揮できなかった。【０００３】  また、海水中のピコプランクトンに由来する有機成分とその有機成分によりキレート化されたミネラル分を含有する海水の濃縮物を酢酸で処理し、塩化ナトリウム及び有毒成分を除去して得られる、キレート化されたミネラル分を含む残留物を有効成分とする治療及び／または予防剤が、特許文献４に提示されている。この残留物中には、ナトリウム、カリウム、カルシウム、マグネシウム、有機物（Ｃ、Ｈ、Ｏ、Ｓ、Ｐ、Ｎ）、塩素、珪素、鉄、銅、クロム、マンガン、亜鉛、セレンなどが含まれているが、カドミニウム、鉛、有機水銀などの有毒成分は含まれていない。この残留物は、肝炎、高血圧、腫瘍、アレルギー及びアトピー性皮膚炎や鼻炎に有効であることが示されている。【０００４】
【特許文献１】特許第３５４８１０２号公報
【特許文献２】特許第３６０４４６３号公報
【特許文献３】特開２００６−１６０７２１号公報
【特許文献４】特許第３２４７６２０号公報
【発明の開示】
【発明が解決しようとする課題】
【０００５】  本発明は上述のような問題点に鑑みてなされたものであり、フェルラ酸を効果的に体内に吸収でき、その効果を発揮できる健康食品を安価で提供することを課題とする。
【課題を解決するための手段】
【０００６】  上記の課題を解決するため本発明による健康食品は、少なくともフェルラ酸を含み、さらに西洋トウキ抽出物及び海洋ミネラル成分のいずれかまたは両方を添加したことを特徴とする。【０００７】  前記西洋トウキ抽出物の配合割合は、前記フェルラ酸に対して５乃至６０％であることが好適である。【０００８】  また、前記海洋ミネラル成分は、海水中のピコプランクトンに由来する有機成分とその有機成分によりキレート化されたミネラル分を含有する海水の濃縮物を酢酸で処理し、塩化ナトリウム及び有毒成分を除去して得られる、キレート化されたミネラル分を含む残留物であることが好適である。
【発明の効果】
【０００９】  フェルラ酸を含み、さらに西洋トウキ抽出物及び海洋ミネラル成分のいずれかまたは両方を添加することにより、フェルラ酸の健康効果を最大限に発揮することができ、また西洋トウキは医薬品指定されていないため、安価に提供することができる。また、本発明による健康食品は、特にアルツハイマー型認知症に対して改善効果がある。これには人ばかりでなく最近知られるようになってきた犬などの動物の認知症も含まれる。
【発明を実施するための最良の形態】
【実施例】
【００１０】  フェルラ酸１００ｍｇおよび西洋トウキ抽出物を２０．０ｍｇ含む分包を調製した。医薬品に指定されていない西洋トウキを使用することにより、フェルラ酸１００ｍｇ及び西洋トウキ１００ｍｇ含んだ健康食品に比べて、製造コストが３０〜５０％低減できた。【００１１】  上記の分包を被験者に１日２包ずつ投与したところ、アルツハイマー型認知症に対して顕著な効果が得られた。【００１２】  別の実施例として、フェルラ酸１００ｍｇおよび海洋ミネラル成分を２０．０ｍｇ含む分包を調製してやはり被験者に１日２包ずつ投与したところ、上記の実施例と同様に顕著な効果が見られた。【００１３】  上述の実施例では、西洋トウキ抽出物と海洋ミネラル成分を別の実施例としてそれぞれ添加したが、同時に添加することにより海洋ミネラル成分の他の効果も相乗されるので、さらに有効である。【００１４】  上記の実施例においては顆粒状の分包の形態として健康食品を調製した。これは、分包の場合水等に溶かしやすく、嚥下障害のある人でも容易に摂取することができ、また消化も早くなるためである。しかし、分包以外の形態をとることももちろん可能であることは言うまでもない。
【産業上の利用可能性】
【００１５】  本発明による健康食品では、フェルラ酸及び西洋トウキまたは海洋ミネラル成分を含むことにより、フェルラ酸の健康増進効果を体内で最大限に発揮でき、また安価で提供することが可能となる。さらに、本発明による健康食品は、人ばかりでなく最近知られるようになってきた犬などの動物のアルツハイマー型認知症に対しても改善効果がある。
(57)【要約】      （修正有）【課題】高頻度の換水、洗浄が不要な生花卉を挿入用花器の提供。【解決手段】トックリ型２重底本体２の上底５と下底６との間に送気機７を設置し該送気機７に連なる送気管８の中間部を貯水面３上架装とし、該貯水面３を架管１０より低位に制御する水位計１１を備えた花器。【選択図】図３
2009005673.tif 000002
【特許請求の範囲】
【請求項１】
トックリ型２重底を特徴とする花器
【請求項２】
貯水上架送気管装を特徴とする花器
【請求項３】
貯水位制御装を特徴とする花器
【発明の詳細な説明】
【技術分野】
【０００１】  貯水浄化
【背景技術】
【０００２】  無浄化貯水中に生花卉挿入
【発明の表示】
【発明が解決しようとする課題】
【０００３】  貯水の腐敗挿入花卉の日保ち不良のため，換水の不合理性と花卉の挿し換えの不経済性があった。
【課題を解決するための手段】
【０００４】  常時浄化
【発明の効果】
【０００５】  花器洗浄不要，花卉日保が良好
【発明を実施するための最良の形態】
【０００６】  トックリ形の２重底装
【実施例】
【０００７】  上底よりの直送気法は，送気停止時貯水が送気管へ逆浸入の欠点があった。解決法として貯水面上に架送気管装にした。【０００８】  貯水を架管より低水位に保持するため，水位計口より溢水する事により制御する。
【産業上の利用可能性】
【０００９】  高規格品の生産流通が可能になる。
【図面の簡単な説明】
【００１０】
【図１】  従来の花器の断面図である。
【図２】  上底よりの直放気浄化の断面図である。
【図３】  架送気管と貯水位制御装の断面図である。
【符号の説明】
【００１１】    １  器  口      ２  本  体      ３  貯水面
４  貯  水      ５  上  底      ６  下  底
７  送気機      ８  送気管      ９  放気口
１０  架  管    １１  水位計    １２  溢水口
【図１】
2009005673.tif 000003
【図２】
2009005673.tif 000004
【図３】
2009005673.tif 000005